(57)【要約】【課題】従来の多翼送風機の逆流を防止の効果は小さくて不足であり、さらに効果的に風量低下防止し、発生騒音を低減し、多翼ファン全体の騒音を低減し効率向上することができる多翼送風機が要求されている。【解決手段】両側または片側にベルマウス状のオリフィス１を形成し、吸込口２と吐出口３を有する渦巻き状のケーシング４の内部に、多翼ファン５を有し、前記渦巻き状のケーシングの吐出側に、エヤーガイド６を設けて流れを安定させ逆流を防止し高効率低騒音の多翼送風機としたものである。【選択図】図１
2006283689.tif 000002
【特許請求の範囲】
【請求項１】
両側または片側にベルマウス状のオリフィスを形成し、吸込口と吐出口を有する渦巻き状のケーシングの内部に、羽根車を有し、前記渦巻き状のケーシングの吐出側に、流れを安定させるようにした多翼送風機。
【請求項２】
渦巻き状のケーシングの吐出側に、流れを安定させるためのエヤーガイドを１個以上設けた請求項１記載の多翼送風機。
【請求項３】
渦巻き状のケーシングの吐出側で、かつ前記渦巻き状のケーシングの横幅方向に、直線状のエヤーガイドを設けた請求項１記載の多翼送風機。
【請求項４】
渦巻き状のケーシングの吐出側で、かつ前記渦巻き状のケーシングの横幅方向に、曲率を持った板状のエヤーガイドを設けた請求項１記載の多翼送風機。
【請求項５】
渦巻き状のケーシングの吐出側で、かつ前記渦巻き状のケーシングの横幅方向に、翼型状のエヤーガイドを設けた請求項１記載の多翼送風機。
【請求項６】
渦巻き状のケーシングの吐出側で、かつ前記渦巻き状のケーシングの横幅方向に、吐出側に向かうにつれて水平方向より前傾角度を持ったエヤーガイドを設けた請求項１〜５いずれかに記載の多翼送風機。
【請求項７】
渦巻き状のケーシングの吐出側には、前記渦巻き状のケーシングのどちらか一方に、エヤーガイドを設けた請求項１〜６いずれかに記載の多翼送風機。
【発明の詳細な説明】
【技術分野】
【０００１】
本発明は、換気送風機器、設備用送風機に使用される多翼送風機に関するものである。
【背景技術】
【０００２】
従来、この種の多翼送風機は事務所で使用されているものがあった（例えば特許文献１参照）。
【０００３】
以下、この種の多翼送風機について、図８を参照しながら説明する。
【０００４】
図に示すように、多翼ファン１０１のケーシング１０２は、多孔質の焼結樹脂で形成されている。
【０００５】
上記構成により、多翼ファン１０１が回転すると、多翼ファン１０１のケーシング内で風速や圧力のばらつきを発生するが、ケーシング１０２が多孔質の焼結樹脂で形成されているので、ケーシング内部の圧力変化が緩和され圧力変動することなく逆流を防ぎ、Ｐ−Ｑ特性が安定し、効率特性や騒音特性が向上する。
【特許文献１】特許第２５４８３５８号公報
【発明の開示】
【発明が解決しようとする課題】
【０００６】
上記従来例の多翼ファンでは、逆流を防止の効果は小さくて不足であり、さらに効果的に風量の低下とブレード発生騒音を低減し、多翼ファン全体の騒音を低減し効率向上することができる多翼ファンが要求されている。
【０００７】
本発明は、このような従来の課題を解決するものであり、両側にベルマウス状のオリフィスを形成し、吸込口と吐出口を有する渦巻き状のケーシングの内部に、多翼ファンを有し、前記渦巻き状のケーシングの吐出側に、エヤーガイドを設けて流れを安定させ逆流を防止し高効率低騒音の多翼送風機とすることを目的としている。
【課題を解決するための手段】
【０００８】
（１）本発明の多翼ファンは、上記目的を達成するために、両側または片側にベルマウス状のオリフィスを形成し、吸込口と吐出口を有する渦巻き状のケーシングの内部に、羽根車を有し、前記渦巻き状のケーシングの吐出側に、流れを安定させるためのエヤーガイドを1個以上設けた多翼送風機としたものである。
【０００９】
本発明によれば、課題となっている低圧高風量時の空気の逆流を防止し、風量の低下とブレード発生騒音を低減し、多翼ファン全体の騒音を低減することができる多翼送風機が得られる。
【００１０】
（２）また、他の手段は、両側または片側にベルマウス状のオリフィスを形成し、吸込口と吐出口を有する渦巻き状のケーシングの内部に、羽根車を有し、前記渦巻き状のケーシングの吐出側で、かつ前記渦巻き状のケーシングの横幅方向に、直線状のエヤーガイドを設けた多翼送風機としたものである。
【００１１】
本発明によれば、課題となっている低圧高風量時の逆流を防止し、風量の低下とブレード発生騒音を低減し、多翼送風機全体の騒音を低減することができる多翼送風機が得られる。
【００１２】
（３）また、他の手段は、両側または片側にベルマウス状のオリフィスを形成し、吸込口と吐出口を有する渦巻き状のケーシングの内部に、羽根車を有し、前記渦巻き状のケーシングの吐出側で、かつ前記渦巻き状のケーシングの横幅方向に、曲率を持った板状のエヤーガイドを設けた多翼送風機としたものである。
【００１３】
本発明によれば、課題となっている低圧高風量時の逆流をより防止し、風量の低下とブレード発生騒音を低減し、多翼送風機全体の騒音をより低減することができる多翼送風機が得られる。
【００１４】
（４）また、他の手段は、両側または片側にベルマウス状のオリフィスを形成し、吸込口と吐出口を有する渦巻き状のケーシングの内部に、羽根車を有し、前記渦巻き状のケーシングの吐出側で、かつ前記渦巻き状のケーシングの横幅方向に、翼型状のエヤーガイドを設けた多翼送風機としたものである。
【００１５】
本発明によれば、課題となっている低圧高風量時の逆流を大きく防止し、風量の低下とブレード発生騒音を低減し、多翼ファン全体の騒音を大きく低減することができる多翼送風機が得られる。
【００１６】
（５）また、他の手段は、両側または片側にベルマウス状のオリフィスを形成し、吸込口と吐出口を有する渦巻き状のケーシングの内部に、羽根車を有し、前記渦巻き状のケーシングの吐出側で、前記渦巻き状のケーシングの横幅方向に、吐出側に向かうにつれて水平方向より前傾角度を持ったエヤーガイドを設けた多翼送風機としたものである。
【００１７】
本発明によれば、課題となっている低圧高風量時の逆流を大きく防止し、風量の低下とブレード発生騒音を低減し、多翼ファン全体の騒音を大きく低減することができる多翼送風機が得られる。
【００１８】
（６）また、他の手段は、両側または片側にベルマウス状のオリフィスを形成し、吸込口と吐出口を有する渦巻き状のケーシングの内部に、羽根車を有し、前記渦巻き状のケーシングの吐出側には、前記渦巻き状のケーシングのどちらか一方に、エヤーガイドを設けた多翼送風機としたものである。
【００１９】
本発明によれば、課題となっている低圧高風量時の逆流を大きく防止し、風量の低下とブレード発生騒音を低減し、多翼ファン全体の騒音を低減し効率向上することができる多翼送風機が得られる。
【発明の効果】
【００２０】
本発明によれば、流れを安定させ逆流を防止し、風量の低下と発生騒音を低減し、多翼ファン全体の騒音を低減し、効率向上することができる多翼送風機が得られる。
【発明を実施するための最良の形態】
【００２１】
本願発明は、両側または片側にベルマウス状のオリフィスを形成し、吸込口と吐出口を有する渦巻き状のケーシングの内部に、羽根車を有し、前記渦巻き状のケーシングの吐出側に、流れを安定させるためのエヤーガイドを１個以上設けた多翼送風機とした構成であり低圧高風量時の空気の逆流を防止し、風量の低下とブレード発生騒音を低減し、多翼ファン全体の騒音を低減することができる多翼送風機を提供することができる。
【００２２】
以下に、本発明の実施の形態について、図面を参照しながら説明する。
【００２３】
（実施の形態１）
図１および図２は、本発明の実施の形態１における多翼送風機の側断面図および正面断面図である。
【００２４】
図１および図２において、両側または片側にベルマウス状のオリフィス１を形成し、吸込口２と吐出口３を有する渦巻き状のケーシング４の内部に、多翼ファン５を有し、前記渦巻き状のケーシング４の吐出側で、かつ前記渦巻き状のケーシング４の横幅方向には、直線状のエヤーガイド６が設置されている。
【００２５】
上記多翼ファン５が電動機８により駆動力を受け回転すると、上記多翼ファン５の吸込口２側から空気を吸い込み、多翼ファン５の外周部から、前記渦巻き状のケーシング４の内部に空気を吐出すが、低圧高風量時には、ケーシング４の内部が高風速となり、流路抵抗による圧力損失により、ケーシング４内に低圧部が発生し、空気の逆流など不安定領域を発生するときがある。しかし、前記渦巻き状のケーシング４の横幅方向に、直線状のエヤーガイド６を設けているので、ケーシング内の流れが安定し、逆流がなく、静圧―風量特性が安定し、高効率で低騒音となる送風機とすることができる。
【００２６】
（実施の形態２）
図３は本発明の実施の形態２における多翼送風機の断面図である。
【００２７】
なお、実施の形態１と同一部分については同一番号を付し、詳細な説明を省略する。
【００２８】
図３に示すように、両側または片側にベルマウス状のオリフィス１を形成し、吸込口２と吐出口３を有する渦巻き状のケーシング４の内部に、多翼ファン５を有し、前記渦巻き状のケーシング４の吐出側で、かつ前記渦巻き状のケーシング４の横幅方向に、かつ前記渦巻き状のケーシング４の横幅方向には、曲率を持った板状のエヤーガイド７が設置されている。
【００２９】
上記多翼ファン５が電動機８により駆動力を受け回転すると、上記多翼ファン５の吸込口２側から空気を吸い込み、多翼ファン５の外周部から、前記渦巻き状のケーシング４の内部に空気を吐出すが、低圧高風量時には、ケーシング４の内部が高風速となり、流路抵抗による圧力損失により、ケーシング４内に低圧部が発生し、空気の逆流など不安定領域を発生するときがある。しかし、前記渦巻き状のケーシング４の横幅方向に、流れに合った曲率を持った板状のエヤーガイド７を設けているので、ケーシング４内の流れがより安定し、逆流がなく、静圧―風量特性が安定し、高効率で低騒音となる多翼送風機とすることができる。
【００３０】
（実施の形態３）
図４は本発明の実施の形態３における多翼送風機の断面図である。
【００３１】
なお、実施の形態１および２と同一部分については同一番号を付し、詳細な説明を省略する。
【００３２】
図４に示すように、両側または片側にベルマウス状のオリフィス１を形成し、吸込口２と吐出口３を有する渦巻き状のケーシング４の内部に、多翼ファン５を有し、前記渦巻き状のケーシング４の吐出側で、かつ前記渦巻き状のケーシング４の横幅方向には、翼型状のエヤーガイド９が設置されている。
【００３３】
上記多翼ファン５が電動機８により駆動力を受け回転すると、上記多翼ファン５の吸込口２側から空気を吸い込み、多翼ファン５の外周部から、前記渦巻き状のケーシング４の内部に空気を吐出すが、低圧高風量時には、ケーシング４の内部が高風速となり、流路抵抗による圧力損失により、ケーシング４内に低圧部が発生し、空気の逆流など不安定領域を発生するときがある。しかし、前記渦巻き状のケーシング４の横幅方向に、流れに合った翼型状のエヤーガイド９を設けているので、ケーシング４内の流れがより安定し、板状より渦発生が少なく、逆流がなく、静圧―風量特性が安定し、より高効率でより低騒音となる多翼送風機とすることができる。
【００３４】
（実施の形態４）
図５は本発明の実施の形態４における多翼送風機の断面図である。
【００３５】
なお、実施の形態１乃至３のいずれかと同一部分については同一番号を付し、詳細な説明を省略する。
【００３６】
図５に示すように、両側または片側にベルマウス状のオリフィス１を形成し、吸込口２と吐出口３を有する渦巻き状のケーシング４の内部に、多翼ファン５を有し、前記渦巻き状のケーシング４の吐出側で、かつ前記渦巻き状のケーシング４の横幅方向には、吐出側に向かうにつれて水平方向より前傾角度θを持ったエヤーガイド１０が設置されている。
【００３７】
上記多翼ファン５が電動機８により駆動力を受け回転すると、上記多翼ファン５の吸込口２側から空気を吸い込み、多翼ファン５の外周部から、前記渦巻き状のケーシング４の内部に空気を吐出すが、低圧高風量時には、ケーシング４の内部が高風速となり、流路抵抗による圧力損失により、ケーシング４内に低圧部が発生し、空気の逆流など不安定領域を発生するときがある。しかし、前記渦巻き状のケーシング４の横幅方向には、吐出側に向かうにつれて水平方向より前傾角度を持ったエヤーガイド１０を設けているので、ケーシング４内の流れがより安定し、板状より渦発生が少なく、かつケーシング内の風速がより均一で逆流がほとんどなく、静圧―風量特性がより安定し、より高効率でより低騒音となる多翼送風機とすることができる。
【００３８】
（実施の形態５）
図６および図７は本発明の実施の形態５における多翼送風機の断面図である。
【００３９】
なお、実施の形態１乃至４のいずれかと同一部分については同一番号を付し、詳細な説明を省略する。
【００４０】
図６および図７に示すように、両側または片側にベルマウス状のオリフィス１を形成し、吸込口２と吐出口３を有する渦巻き状のケーシング４の内部に、多翼ファン５を有し、前記渦巻き状のケーシング４の吐出側で、かつ前記渦巻き状のケーシング４の横幅方向には、吐出側に向かうにつれて前記渦巻き状のケーシングのどちらか一方にエヤーガイド１１が設置されている。
【００４１】
上記多翼ファン５が電動機８により駆動力を受け回転すると、上記多翼ファン５の吸込口２側から空気を吸い込み、多翼ファン５の外周部から、前記渦巻き状のケーシング４の内部に空気を吐出すが、低圧高風量時には、ケーシング４の内部が高風速となり、流路抵抗による圧力損失により、ケーシング４内に低圧部が発生し、空気の逆流など不安定領域を発生するときがある。しかし、前記渦巻き状のケーシング４の横幅方向には、吐出側に向かうにつれて前記渦巻き状のケーシングのどちらか一方にエヤーガイド１１を設けているので、ケーシング４内の流れがより安価に安定させ、逆流を防ぎ、静圧―風量特性が安定し、高効率でより低騒音となる多翼送風機とすることができる。
【産業上の利用可能性】
【００４２】
本発明の多翼ファンは、流れを安定させ逆流を防止し、風量の低下と発生騒音を低減し、多翼ファン全体の騒音を低減し、効率向上することができる多翼送風機して有用である。
【図面の簡単な説明】
【００４３】
【図１】本発明の実施の形態１の多翼送風機の側断面図
【図２】同多翼送風機の正面断面図
【図３】同実施の形態２の多翼送風機の正面断面図
【図４】同実施の形態３の多翼送風機の正面断面図
【図５】同実施の形態４の多翼送風機の正面断面図
【図６】同実施の形態５の多翼送風機の側断面図
【図７】同実施の形態６の多翼送風機の正面断面図
【図８】従来の多翼送風機の側断面図
【符号の説明】
【００４４】
１      オリフィス
２      吸込口
３      吐出口
４      ケーシング
５      多翼ファン
６      エヤーガイド
７      エヤーガイド
８      電動機
９      エヤーガイド
１０    エヤーガイド
１１    エヤーガイド
１０１  多翼ファン
１０２  ケーシング
【図１】
2006283689.tif 000003
【図２】
2006283689.tif 000004
【図３】
2006283689.tif 000005
【図４】
2006283689.tif 000006
【図５】
2006283689.tif 000007
【図６】
2006283689.tif 000008
【図７】
2006283689.tif 000009
【図８】
2006283689.tif 000010